(57)【要約】【課題】  一の記録媒体への情報の記録と再生を同時に実行することにより利便性を向上させることが可能な情報記録再生装置を提供する。【解決手段】  所定の入力レートで入力される情報信号Ｓinを圧縮して記録信号Ｓrを生成し、上記入力レートよりも高い記録レートで光ディスク１に記録する情報記録部Ｒと、光ディスク１に記録された記録信号Ｓｒを所定の検出レートで検出して伸長し、検出レートよりも低い出力レートで外部へ出力する情報再生部Ｐと、上記記録レートと入力レートの差に起因して生じる記録信号Ｓrの記録が行われない期間に、情報信号Ｓinの入力を継続しつつ光ディスク１に記録されている記録信号Ｓrを再生すると共に、上記検出レートと出力レートの差に起因して生じる記録信号Ｓrの検出が行われない期間に、伸長された記録信号Ｓrの外部への出力を継続しつつ未記録の記録信号Ｓrの記録を行うように情報記録部Ｒ及び情報再生部Ｐを夫々制御するＣＰＵ１４と、を備える。【選択図】  図１
2005025933.tif 000002
【特許請求の範囲】
【請求項１】
予め設定された所定の入力レートで外部から入力されてくる情報を加工して記録用の記録情報を生成すると共に、当該生成された記録情報を前記入力レートよりも高い記録レートで記録媒体に記録する情報記録手段と、
前記記録媒体に記録されている前記記録情報を予め設定された所定の検出レートで当該記録媒体から検出すると共に、当該検出された記録情報を再加工して再生し、前記検出レートよりも低い出力レートで外部へ出力する情報再生手段と、
前記記録レートと前記入力レートの差に起因して生じる前記記録情報の記録が行われない期間に、それまでに前記記録媒体に記録されている前記記録情報を再生するように前記情報再生手段を制御する制御手段と、
を備えることを特徴とする情報記録再生装置。
【請求項２】
予め設定された所定の入力レートで外部から入力されてくる情報を加工して記録用の記録情報を生成すると共に、当該生成された記録情報を前記入力レートよりも高い記録レートで記録媒体に記録する情報記録手段と、
前記記録媒体に記録されている前記記録情報を予め設定された所定の検出レートで当該記録媒体から検出すると共に、当該検出された記録情報を再加工して再生し前記検出レートよりも低い出力レートで外部へ出力する情報再生手段と、
前記検出レートと前記出力レートの差に起因して生じる前記記録情報の検出が行われない期間に、未記録の前記記録情報の記録を行うように前記情報記録手段を制御する制御手段と、
を備えることを特徴とする情報記録再生装置。
【請求項３】
予め設定された所定の入力レートで外部から入力されてくる情報を加工して記録用の記録情報を生成すると共に、当該生成された記録情報を前記入力レートよりも高い記録レートで記録媒体に記録する情報記録手段と、
前記記録媒体に記録されている前記記録情報を予め設定された所定の検出レートで当該記録媒体から検出すると共に、当該検出された記録情報を再加工して再生し前記検出レートよりも低い出力レートで外部へ出力する情報再生手段と、
前記記録レートと前記入力レートの差に起因して生じる前記記録情報の記録が行われない期間に、外部からの前記情報の入力を継続しつつそれまでに前記記録媒体に記録されている前記記録情報を再生すると共に、前記検出レートと前記出力レートの差に起因して生じる前記記録情報の検出が行われない期間に、前記再加工された記録情報の外部への出力を継続しつつ未記録の前記記録情報の記録を行うように前記情報記録手段及び前記情報再生手段を夫々制御する制御手段と、
を備えることを特徴とする情報記録再生装置。
【請求項４】
請求項１から３のいずれか一項に記載の情報記録再生装置において、
前記情報記録手段は、
前記入力レートで入力された前記情報を加工して前記記録情報を生成する加工手段と、
前記生成された記録情報を一時的に記憶する記録情報記憶手段と、
前記記憶されている記録情報を読み出し、前記記録レートで前記記録媒体に記録する記録手段と、を含み、
前記制御手段は、前記記録情報を前記記録情報記憶手段に記憶中の期間であって前記記録媒体への当該記録情報の記録を実行しないときに、外部からの前記情報の入力を継続するように前記情報記録手段を制御しつつそれまでに前記記録媒体に記録されている前記記録情報を検出するように前記情報再生手段を制御することを特徴とする情報記録再生装置。
【請求項５】
請求項１から４のいずれか一項に記載の情報記録再生装置において、
前記情報再生手段は、
前記記録媒体から前記検出レートで前記記録情報を検出する検出手段と、
前記検出された記録情報を一時的に記憶する記憶手段と、
前記記憶されている記録情報を読み出すと共に再加工して再生し、前記出力レートで外部に出力する再加工手段と、を含み、
前記制御手段は、前記記録情報を前記記憶手段から読み出して再加工して再生している期間であって前記記録媒体からの当該記録情報の検出を実行しないときに、当該再加工された前記情報の外部への出力を継続するように前記情報再生手段を制御しつつ未記録の前記記録情報を前記記録媒体に記録するように前記情報記録手段を制御することを特徴とする情報記録再生装置。
【発明の詳細な説明】
【技術分野】
【０００１】
本発明は、記録媒体からの情報の再生と当該記録媒体への情報の記録とが共に可能な情報記録再生装置の技術分野に属し、より詳細には、当該情報の再生と記録の制御の技術分野に属する。
【背景技術】
【０００２】
従来、画像等の情報の記録及び再生の双方が共に可能な情報記録再生装置としては、いわゆるＶＴＲ（Video  Tape  Recorder）が広く一般化している。
【０００３】
ここで、当該従来のＶＴＲでは、記録及び再生を行うヘッドは一つであり、当該ヘッドを用いて一つのビデオテープに対して情報の記録及び再生を実行する構成となっている。
【発明の開示】
【発明が解決しようとする課題】
【０００４】
しかしながら、上記従来のＶＴＲの構成では、一のヘッドを用いて情報の記録及び再生を行っているので、情報の記録と再生を同時に行うことはできなかった。
【０００５】
従って、例えば、情報の記録中にそれまで記録されていた情報を始めから再生したいときは、その時点で記録を中止して再生するか、又はすべての情報の記録を終了してからそれを再生する必要があった。
【０００６】
この場合、途中で記録を終了するとそれ以降の情報を記録することができず、また、記録が終了するまで待っていると、再生したいときにできないという問題点が生じる。
【０００７】
そこで、本発明は、上記の問題点に鑑みて為されたもので、その課題は、一の記録媒体に対して情報の記録と再生を行う情報記録再生装置において、当該記録と再生を同時に実行することにより利便性を向上させることが可能な情報記録再生装置を提供することにある。
【課題を解決するための手段】
【０００８】
上記の課題を解決するために、請求項１に記載の発明は、予め設定された所定の入力レートで外部から入力されてくる情報を加工して記録用の記録情報を生成すると共に、当該生成された記録情報を前記入力レートよりも高い記録レートで記録媒体に記録する情報記録部等の情報記録手段と、前記記録媒体に記録されている前記記録情報を予め設定された所定の検出レートで当該記録媒体から検出すると共に、当該検出された記録情報を再加工して再生し、前記検出レートよりも低い出力レートで外部へ出力する情報再生部等の情報再生手段と、前記記録レートと前記入力レートの差に起因して生じる前記記録情報の記録が行われない期間に、それまでに前記記録媒体に記録されている前記記録情報を再生するように前記情報再生手段を制御するＣＰＵ等の制御手段と、を備える。
【０００９】
請求項１に記載の発明の作用によれば、情報記録手段は、所定の入力レートで外部から入力されてくる情報を加工して記録情報を生成すると共に、当該生成された記録情報を入力レートよりも高い記録レートで記録媒体に記録する。
【００１０】
一方、情報再生手段は、記録媒体に記録されている記録情報を所定の検出レートで当該記録媒体から検出すると共に、当該検出された記録情報を再加工して再生し検出レートよりも低い出力レートで外部へ出力する。
【００１１】
このとき、制御手段は、記録レートと入力レートの差に起因して生じる記録情報の記録が行われない期間に、それまでに記録媒体に記録されている記録情報を再生するように情報再生手段を制御する。
【００１２】
よって、記録レートと入力レートの差に起因して生じる記録情報の記録が行われない期間にそれまでに記録媒体に記録されていた記録情報が再生されるので、見かけ上、情報の記録とそれまで記録された情報の再生を同時に進行させることができる。
【００１３】
上記の課題を解決するために、請求項２に記載の発明は、予め設定された所定の入力レートで外部から入力されてくる情報を加工して記録用の記録情報を生成すると共に、当該生成された記録情報を前記入力レートよりも高い記録レートで記録媒体に記録する情報記録部等の情報記録手段と、前記記録媒体に記録されている前記記録情報を予め設定された所定の検出レートで当該記録媒体から検出すると共に、当該検出された記録情報を再加工して再生し前記検出レートよりも低い出力レートで外部へ出力する情報再生部等の情報再生手段と、前記検出レートと前記出力レートの差に起因して生じる前記記録情報の検出が行われない期間に、未記録の前記記録情報の記録を行うように前記情報記録手段を制御するＣＰＵ等の制御手段と、を備える。
【００１４】
請求項２に記載の発明の作用によれば、情報記録手段は、所定の入力レートで外部から入力されてくる情報を加工して記録情報を生成すると共に、当該生成された記録情報を入力レートよりも高い記録レートで記録媒体に記録する。
【００１５】
一方、情報再生手段は、記録媒体に記録されている記録情報を所定の検出レートで当該記録媒体から検出すると共に、当該検出された記録情報を再加工して再生し検出レートよりも低い出力レートで外部へ出力する。
【００１６】
このとき、制御手段は、検出レートと出力レートの差に起因して生じる記録情報の検出が行われない期間に、未記録の記録情報の記録を行うように情報記録手段を制御する。
【００１７】
よって、検出レートと出力レートの差に起因して生じる記録情報の検出が行われない期間に未記録の記録情報が記録されるので、見かけ上、情報の記録とそれまで記録された情報の再生を同時に進行させることができる。
【００１８】
上記の課題を解決するために、請求項３に記載の発明は、予め設定された所定の入力レートで外部から入力されてくる情報を加工して記録用の記録情報を生成すると共に、当該生成された記録情報を前記入力レートよりも高い記録レートで記録媒体に記録する情報記録部等の情報記録手段と、前記記録媒体に記録されている前記記録情報を予め設定された所定の検出レートで当該記録媒体から検出すると共に、当該検出された記録情報を再加工して再生し前記検出レートよりも低い出力レートで外部へ出力する情報再生部等の情報再生手段と、前記記録レートと前記入力レートの差に起因して生じる前記記録情報の記録が行われない期間に、外部からの前記情報の入力を継続しつつそれまでに前記記録媒体に記録されている前記記録情報を再生すると共に、前記検出レートと前記出力レートの差に起因して生じる前記記録情報の検出が行われない期間に、前記再加工された記録情報の外部への出力を継続しつつ未記録の前記記録情報の記録を行うように前記情報記録手段及び前記情報再生手段を夫々制御するＣＰＵ等の制御手段と、を備える。
【００１９】
請求項３に記載の発明の作用によれば、情報記録手段は、所定の入力レートで外部から入力されてくる情報を加工して記録情報を生成すると共に、当該生成された記録情報を入力レートよりも高い記録レートで記録媒体に記録する。
【００２０】
一方、情報再生手段は、記録媒体に記録されている記録情報を所定の検出レートで当該記録媒体から検出すると共に、当該検出された記録情報を再加工して再生し検出レートよりも低い出力レートで外部へ出力する。
【００２１】
このとき、制御手段は、記録レートと入力レートの差に起因して生じる記録情報の記録が行われない期間に、外部からの情報の入力を継続しつつそれまでに記録媒体に記録されている記録情報を再生すると共に、検出レートと出力レートの差に起因して生じる記録情報の検出が行われない期間に、検出された記録情報の外部への出力を継続しつつ未記録の記録情報の記録を行うように情報再生手段及び情報記録手段を夫々制御する。
【００２２】
よって、外部からの情報の入力を継続しつつそれまでに記録媒体に記録されていた記録情報が再生されると共に、検出された記録情報の外部への出力を継続しつつ未記録の記録情報が記録されるので、見かけ上、情報の記録とそれまで記録された情報の再生を同時に進行させることができる。
【００２３】
上記の課題を解決するために、請求項４に記載の発明は、請求項１から３のいずれか一項に記載の情報記録再生装置において、前記情報記録手段は、前記入力レートで入力された前記情報を加工して前記記録情報を生成する圧縮回路等の加工手段と、前記生成された記録情報を一時的に記憶する記録バッファメモリ等の記録情報記憶手段と、前記記憶されている記録情報を読み出し、前記記録レートで前記記録媒体に記録するピックアップ等の記録手段と、を含み、前記制御手段は、前記記録情報を前記記録情報記憶手段に記憶中の期間であって前記記録媒体への当該記録情報の記録を実行しないときに、外部からの前記情報の入力を継続するように前記情報記録手段を制御しつつそれまでに前記記録媒体に記録されている前記記録情報を検出するように前記情報再生手段を制御するように構成される。
【００２４】
請求項４に記載の発明の作用によれば、請求項１から３のいずれか一項に記載の発明の作用に加えて、情報記録手段内の加工手段は、入力レートで入力された情報を加工して記録情報を生成する。
【００２５】
そして、情報記録手段内の記録情報記憶手段は、生成された記録情報を一時的に記憶する。
【００２６】
更に、情報記録手段内の記録手段は、記憶されている記録情報を読み出し、記録レートで記録媒体に記録する。
【００２７】
このとき、制御手段は、記録情報を記録情報記憶手段に記憶中の期間であって記録媒体への当該記録情報の記録を実行しないときに、外部からの情報の入力を継続するように情報記録手段を制御しつつそれまでに記録媒体に記録されている記録情報を検出するように情報再生手段を制御する。
【００２８】
よって、記録情報記憶手段への記録情報の記憶中にそれまでに記録されている記録情報を検出するので、簡易な構成で情報の記録と再生を同時進行させることができる。
【００２９】
上記の課題を解決するために、請求項５に記載の発明は、請求項１から４のいずれか一項に記載の情報記録再生装置において、前記情報再生手段は、前記記録媒体から前記検出レートで前記記録情報を検出するピックアップ等の検出手段と、前記検出された記録情報を一時的に記憶する再生バッファメモリ等の記憶手段と、前記記憶されている記録情報を読み出すと共に再加工して再生し、前記出力レートで外部に出力する伸長回路等の再加工手段と、を含み、前記制御手段は、前記記録情報を前記記憶手段から読み出して再加工して再生している期間であって前記記録媒体からの当該記録情報の検出を実行しないときに、当該再加工された前記情報の外部への出力を継続するように前記情報再生手段を制御しつつ未記録の前記記録情報を前記記録媒体に記録するように前記情報記録手段を制御するように構成される。
【００３０】
請求項５に記載の発明の作用によれば、請求項１から４のいずれか一項に記載の発明の作用に加えて、情報再生手段内の検出手段は、記録媒体から検出レートで記録情報を検出する。
【００３１】
そして、情報再生手段内の記憶手段は、検出された記録情報を一時的に記憶する。
【００３２】
更に、情報再生手段内の再加工手段は、記憶されている記録情報を読み出すと共に再加工して再生し、出力レートで外部に出力する。
【００３３】
このとき、制御手段は、記録情報を記憶手段から読み出して再加工して再生している期間であって記録媒体からの当該記録情報の検出を実行しないときに、当該再生された情報の外部への出力を継続するように情報再生手段を制御しつつ未記録の記録情報を記録媒体に記録するように情報記録手段を制御する。
【００３４】
よって、記憶手段からの記録情報の読み出し中に未記録の記録情報を記録するので、簡易な構成で情報の記録と再生を同時進行させることができる。
【発明の効果】
【００３５】
請求項１に記載の発明によれば、記録レートと入力レートの差に起因して生じる記録情報の記録が行われない期間にそれまでに記録媒体に記録されていた記録情報が再生されるので、見かけ上、情報の記録とそれまで記録された情報の再生を同時に進行させることができる。
【００３６】
従って、情報記録再生装置の利便性を向上させることができる。
【００３７】
請求項２に記載の発明によれば、検出レートと出力レートの差に起因して生じる記録情報の検出が行われない期間に未記録の記録情報が記録されるので、見かけ上、情報の記録とそれまで記録された情報の再生を同時に進行させることができる。
【００３８】
従って、情報記録再生装置の利便性を向上させることができる。
【００３９】
請求項３に記載の発明によれば、外部からの情報の入力を継続しつつそれまでに記録媒体に記録されていた記録情報が再生されると共に、検出された記録情報の外部への出力を継続しつつ未記録の記録情報が記録されるので、見かけ上、情報の記録とそれまで記録された情報の再生を同時に進行させることができる。
【００４０】
従って、情報記録再生装置における利便性が向上する。
【００４１】
請求項４に記載の発明によれば、請求項１から３のいずれか一項に記載の発明の効果に加えて、記録情報記憶手段への記録情報の記憶中にそれまでに記録されている記録情報を検出するので、簡易な構成で情報の記録と再生を同時進行させることができる。
【００４２】
請求項５に記載の発明によれば、請求項１から４のいずれか一項に記載の発明の効果に加えて、記憶手段からの記録情報の読み出し中に未記録の記録情報を記録するので、簡易な構成で情報の記録と再生を同時進行させることができる。
【発明を実施するための最良の形態】
【００４３】
次に、本発明に好適な実施の形態について、図面に基づいて説明する。なお、以下に説明する実施の形態は、光学的に情報の記録及び再生が可能なディスク状の記録媒体（以下、単に光ディスクと称する。）に対して情報の記録及び再生が可能な情報記録再生装置に対して本発明を適用した場合の実施形態である。
【００４４】
始めに、図１を用いて、実施形態に係る情報記録再生装置の構成について説明する。
【００４５】
図１に示すように、実施形態の情報記録再生装置Ｓは、記録手段及び検出手段としてのピックアップ２と、Ａ／Ｄ（アナログ／ディジタル）コンバータ３と、加工手段としての圧縮回路４と、記録情報記憶手段としての記録バッファメモリ５と、エンコーダ６と、記録回路７と、再生回路８と、デコーダ９と、記憶手段としての再生バッファメモリ１０と、再加工手段としての伸長回路１１と、Ｄ／Ａ（ディジタル／アナログ）コンバータ１２と、スピンドルモータ１３と、制御手段としてのＣＰＵ１４と、サーボ回路１５と、操作部１６と、表示部１７とにより構成されている。
【００４６】
上記の構成のうち、ピックアップ２、Ａ／Ｄコンバータ３、圧縮回路４、記録バッファメモリ５、エンコーダ６及び記録回路７が情報記録手段としての情報記録部Ｒを構成している。
【００４７】
また、ピックアップ２、再生回路８、デコーダ９、再生バッファメモリ１０、伸長回路１１及びＤ／Ａコンバータ１２が情報再生手段としての情報再生部Ｐを構成している。
【００４８】
次に、各構成部材個々の概要動作を説明する。
【００４９】
始めに、外部からの記録すべき情報を記録媒体としての光ディスク１に記録する場合について説明する。
【００５０】
外部から記録すべき情報（当該記録すべき情報としては、具体的には、画像情報又は音声情報或いはその双方が含まれる。）に対応する情報信号Ｓin（アナログ信号）が予め設定された入力レートＭrで入力されてくると、Ａ／Ｄコンバータ３は当該情報信号Ｓinをディジタル化し、ディジタル情報信号Ｓdを生成して圧縮回路４へ出力する。
【００５１】
そして、圧縮回路４は、ＣＰＵ１４から出力されている制御信号Ｓ5に基づいて、入力されてくるディジタル情報信号Ｓdを圧縮し、圧縮情報信号Ｓpdを生成して記録バッファメモリ５へ出力する。このとき、当該ディジタル情報信号Ｓdを圧縮する際には、例えば、ＭＰＥＧ２（Moving  Picture  coding  Experts  Group  ２）方式等の圧縮方式が用いられる。
【００５２】
次に、記録バッファメモリ５は、入力されてくる圧縮情報信号Ｓpdをそのまま一時的に記憶する。このとき、当該記録バッファメモリ５は蓄積された圧縮情報信号Ｓpdのデータ量を示すデータ量信号Ｓmrを常にＣＰＵ１４に出力している。
【００５３】
次に、エンコーダ６は、ＣＰＵ１４から出力されている制御信号Ｓ4に基づいて、一時的に記録バッファメモリ５に記録されている圧縮情報信号Ｓpdを上記情報信号Ｓinの入力レートＭrよりも高い記録レートＲrで読み出し、これをエンコード（符号化）してエンコード信号Ｓedを生成して記録回路７へ出力する。
【００５４】
そして、記録回路７は、ＣＰＵ１４から出力されている制御信号Ｓ2に基づいて、入力されてくるエンコード信号Ｓedを記録用の記録信号Ｓrに変換し、ピックアップ２へ出力する。このとき記録回路７においては、記録すべき情報に正確に対応した形状のピットを後述の光ディスク１上に形成すべく、エンコード信号Ｓedに対していわゆるライトストラテジ処理等が施される。
【００５５】
次に、ピックアップ２は、記録回路７から出力されている記録信号Ｓrに基づいて、当該ピックアップ２内の図示しない半導体レーザ等の光源を駆動してレーザ光等の光ビームＢを生成して光ディスク１の情報記録面に照射し、当該記録信号Ｓrに対応するピットを形成することにより上記記録レートＲrに対応する速度で情報信号Ｓinを光ディスク１上に記録する。このとき、当該光ディスク１は、後述するスピンドル制御信号Ｓsmに基づいて駆動されるスピンドルモータ１３により所定の回転数で回転されている。なお、当該光ディスク１上では、例えば、相変化方式により記録信号Ｓrに対応するピットが形成されて情報信号Ｓinが記録される。
【００５６】
次に、光ディスク１に記録されている情報を再生する場合の動作について説明する。
【００５７】
再生時においては、先ず、ピックアップ２が再生用の光ビームＢを回転する光ディスク１に照射し、その反射光に基づいて光ディスク１上に形成されているピットに対応する検出信号Ｓpを検出レートＲpで生成し、再生回路８に出力する。
【００５８】
次に、再生回路８は、ＣＰＵ１４から出力されている制御信号Ｓ1に基づいて、出力された検出信号Ｓpを所定の増幅率で増幅すると共にその波形を整形し、再生信号Ｓppを生成してデコーダ９に出力する。
【００５９】
そして、デコーダ９は、ＣＰＵ１４から出力されている制御信号Ｓ3に基づいて、上記エンコーダ６におけるエンコード方式に対応するデコード（復号）方式により再生信号Ｓppをデコードし、デコード信号Ｓddを生成して上記検出レートＲpに対応する速度で再生バッファメモリ１０へ出力する。
【００６０】
次に、再生バッファメモリ１０は、入力されてくるデコード信号Ｓddをそのまま一時的に記憶する。このとき、当該再生バッファメモリ１０は蓄積されたデコード信号Ｓddのデータ量を示すデータ量信号Ｓmpを常にＣＰＵ１４に出力している。
【００６１】
次に、伸長回路１１は、ＣＰＵ１４から出力されている制御信号Ｓ6に基づいて、一時的に再生バッファメモリ１０に記憶されているデコード信号Ｓddを上記検出信号Ｓpの検出レートＲpよりも低い出力レートＭpで読み出し、当該読み出したデコード信号Ｓddに対して上記圧縮回路４における圧縮処理に対応する伸長処理を施し、伸長信号Ｓoを生成してＤ／Ａコンバータ１２に出力する。
【００６２】
そして、Ｄ／Ａコンバータ１２は、伸長信号Ｓoをアナログ化し、上記情報信号Ｓinに対応する出力信号Ｓoutを生成して外部に出力する。
【００６３】
以上説明した情報記録及び情報再生の動作に伴って、ＣＰＵ１４は上記データ量信号Ｓmp又はＳmrに基づいて、後述のフローチャートで示す処理を実行するように上記各制御信号Ｓ1乃至Ｓ6を夫々出力する。このとき、操作部１６は、使用者等により為された操作に対応する指示信号ＳcをＣＰＵ１４に出力し、当該指示信号Ｓcに基づいてＣＰＵ１４が上記各制御信号Ｓ1乃至Ｓ6を夫々出力する。
【００６４】
これと並行して、ＣＰＵ１４は、スピンドルモータ１３及びピックアップ２をサーボ制御するための制御信号Ｓsを生成してサーボ回路１５に出力し、当該サーボ回路１５は、制御信号Ｓsに基づいてスピンドルモータ１３の回転を制御するための上記スピンドル制御信号Ｓsmを生成して当該スピンドルモータ１３に出力すると共に、ピックアップ２におけるいわゆるトラッキングサーボ制御及びフォーカスサーボ制御のためのピックアップ制御信号Ｓspを生成して当該ピックアップ２に出力する。そして、ピックアップ２は、当該ピックアップ制御信号Ｓspに基づき、光ビームＢに対してトラッキングサーボ制御及びフォーカスサーボ制御を施しつつ上記記録信号Ｓr（情報信号Ｓin）の記録又は検出信号Ｓpの検出を行う。
【００６５】
なお、上述した情報記録再生装置Ｓの動作を使用者が制御するために必要な情報は、ＣＰＵ１４からの表示信号Ｓdpに基づいて表示部１７に表示される。
【００６６】
次に、上記構成を有する情報記録再生装置Ｓにおける本発明に係る記録再生動作について図２を用いて説明する。なお、図２において、ステップＳ１乃至Ｓ８が情報再生のみを実行する際の処理を示し、ステップＳ２５乃至Ｓ３２が情報記録のみを実行する際の処理を示し、ステップＳ１０乃至Ｓ１８が情報記録と情報再生を（見かけ上）同時に実行する際の処理を示している。
【００６７】
始めに、当初再生中であったときに同時記録が指定された場合の動作について説明する。
【００６８】
情報記録再生装置Ｓにおいて、光ディスク１からの情報再生が指示されると、先ず、再生すべき記録信号Ｓrが記録されている光ディスク１上の位置を検索し、当該検索した位置に光ビームＢの光スポットを移動して検出レートＲpで検出信号Ｓpの生成を開始し（ステップＳ１）、その後、生成された検出信号Ｓpに対するデコーダ９によるデコードを開始する（ステップＳ２）。このデコードが開始されると、上記検出レートＳpに対応する速度で再生バッファメモリ１０にデコード信号Ｓddが蓄積されていく。
【００６９】
次に、ＣＰＵ１４は、再生バッファメモリ１０からのデータ量信号Ｓmpに基づいて、当該再生バッファメモリ１０の空き容量が予め設定された第１の所定量以下となったか否かを判定する（ステップＳ３）。ここで、当該第１の所定量は、デコード信号Ｓddにおける最小デコード単位（例えば、デコード信号Ｓddにおける一つのＥＣＣ（Error  Collecting  Code）ブロックと等しいデータ量）とされる。
【００７０】
ステップＳ３の判定において、再生バッファメモリ１０の空き容量が上記第１の所定量以下となったときは（ステップＳ３；ｙｅｓ）、それ以上検出信号Ｓpの生成を継続すると再生バッファメモリ１０が満杯になってしまうとしてピックアップ２を一時的に停止させ検出信号Ｓpの生成を停止させて（ステップＳ４）ステップＳ６へ移行する。
【００７１】
一方、ステップＳ３の判定において、再生バッファメモリ１０の空き容量が上記第１の所定量以下でないときは（ステップＳ３；ｎｏ）、引き続き記録信号Ｓrを検出して検出信号Ｓpを生成し（ステップＳ５）、次に、ＣＰＵ１４は操作部１５を介して再生中における情報記録が指示されたか否かを判定する（ステップＳ６）。
【００７２】
そして、再生中における情報記録が指示されていないときは（ステップＳ６；ｎｏ）、次に全ての再生すべき情報を再生したか否かが判定され（ステップＳ７）、全ての情報の再生が完了しているときは（ステップＳ７；ｙｅｓ）、デコーダ９におけるデコードを停止して（ステップＳ８）情報再生処理を終了する。
【００７３】
一方、ステップＳ７の判定において、再生終了でないときは（ステップＳ７；ｎｏ）ステップＳ３に戻って上述した情報再生処理を繰り返す。
【００７４】
また、ステップＳ６の判定において、再生中における情報記録が指示されたときは（ステップＳ６；ｙｅｓ）、次に、記録バッファメモリ５に一時的に記録されている圧縮情報信号Ｓpd（上記ステップＳ６において再生中の情報記録が指示された直後に、Ａ／Ｄコンバータ３における入力された情報信号ＳinのＡ／Ｄ変換及び圧縮回路４における圧縮処理が行われており、記録バッファメモリ５には圧縮情報信号Ｓpdが入力レートＭrに対応する速度で蓄積されている。）を記録レートＲrで読み出すと共にエンコーダ６における当該圧縮情報信号Ｓpdのエンコードを開始する（ステップＳ９）。
【００７５】
次に、ＣＰＵ１４は、記録バッファメモリ５からのデータ量信号Ｓmrに基づいて、当該記録バッファメモリ５の蓄積データ量が予め設定された第２の所定量以上となったか否かを判定する（ステップＳ１０）。そして、当該蓄積データ量が第２の所定量以上であるときは（ステップＳ１０；ｙｅｓ）、それまでのピックアップ２による検出信号Ｓpの生成を一時中断し（この中段後でも、再生バッファメモリ１０に蓄積されているデコード信号Ｓddの伸長及びＤ／Ａ変換（出力レートＭpで実行されている。）を継続するようにＣＰＵ１４が伸長回路１１及びＤ／Ａコンバータ１２を制御する。）、次にエンコードされている（ステップＳ９）エンコード信号Ｓedを記録すべき光ディスク１上の位置にピックアップ２を移動させ（ステップＳ１１）、その後、予め設定されている第３の所定量のエンコード信号Ｓed（記録信号Ｓr）をピックアップ２を介して光ディスク１に記録する（ステップＳ１２）。
【００７６】
このとき、上記第２の所定量は、記録バッファメモリ５の容量Ｂrに基づいて、ステップＳ１０における判定からステップＳ１１におけるピックアップ２の移動までを完了して記録信号Ｓrの記録を開始するまでにエンコード信号Ｓedが記録バッファメモリ５に上記入力レートＭrで蓄積されつづけても当該記録バッファメモリ５が満杯にならない所定量とされている。また、上記第３の所定量については、上記第２の所定量と同じとしてもよいし、又は記録信号Ｓrの記録中に新たに記録バッファメモリ５に蓄積されるエンコード信号Ｓedの量を勘案し記録バッファメモリ５に蓄積されている全てのエンコード信号Ｓedを排出すべく第２の所定量よりも多い所定量としてもよい。
【００７７】
そして、記録すべき記録信号Ｓrが全て記録されたか否かが判定され（ステップＳ１３）、全て記録されていないときは（ステップＳ１３；ｎｏ）、それまでのピックアップ２による記録信号Ｓrの記録を一時中断し（この中段後でも、記録バッファメモリ５に対する圧縮情報信号Ｓpdの蓄積を入力レートＭrで継続するようにＣＰＵ１４がＡ／Ｄコンバータ３及び圧縮回路４を制御する。）、再生バッファメモリ１０の蓄積データ量の減少に伴って再度検出信号Ｓpの生成を開始すべく、次に再生すべき記録信号Ｓrが記録されている光ディスク１上の位置にピックアップ２を移動させ（ステップＳ１４）、ステップＳ１０に戻る。
【００７８】
一方、ステップＳ１３の判定において、全ての記録信号Ｓrの記録が完了しているときは（ステップＳ１３；ｙｅｓ）エンコーダ６におけるエンコードを終了し（ステップＳ１９）、再度情報再生を再開すべく次に検出すべき記録信号Ｓrが記録されている光ディスク１上の位置にピックアップ２を移動させ（ステップＳ２０）、ステップＳ３に戻る。
【００７９】
次に、ステップＳ１０の判定において、記録バッファメモリ５の蓄積データ量が第２の所定量以上でないときは（ステップＳ１０；ｎｏ）、圧縮情報信号Ｓpdの記録バッファメモリ５への蓄積を継続しつつ引き続き検出信号Ｓpの生成を継続すべく、ＣＰＵ１４は再生バッファメモリ１０からのデータ量信号Ｓmpに基づいて、当該再生バッファメモリ１０の空き容量が上記第１の所定量以下となったか否かを再度判定する（ステップＳ１５）。
【００８０】
そして、再生バッファメモリ１０の空き容量が上記第１の所定量以下となったときは（ステップＳ１５；ｙｅｓ）、上記ステップＳ４と同様にピックアップ２を一時的に停止させ検出信号Ｓpの生成を停止させて（ステップＳ１６）ステップＳ１８へ移行する。なお、この時でも、情報信号Ｓinの入力及びそれに伴う圧縮情報信号Ｓpdの記録バッファメモリ５への蓄積、並びに再生バッファメモリ１０からのデコード信号Ｓddの出力及びそれに伴うＤ／Ａコンバータ１２からの出力信号Ｓoutの出力は継続されている。
【００８１】
一方、ステップＳ１５の判定において、再生バッファメモリ１０の空き容量が上記第１の所定量以下でないときは（ステップＳ１５；ｎｏ）、引き続き検出レートＲpで記録信号Ｓrを検出して検出信号Ｓpを生成し（ステップＳ１７）、次に全ての再生すべき情報を再生したか否かが判定され（ステップＳ１８）、全ての情報の再生が完了しているときは（ステップＳ１８；ｙｅｓ）、デコーダ９におけるデコードを停止し（ステップＳ２１）、今度は記録信号Ｓrの記録を開始すべくエンコードされている（ステップＳ９）エンコード信号Ｓedを記録すべき光ディスク１上の位置にピックアップ２を移動させ（ステップＳ２２）、その後、後述するステップＳ２７へ移行する。なお、上記ステップＳ１７を実行中においても、情報信号Ｓinの入力及びそれに伴う圧縮情報信号Ｓpdの記録バッファメモリ５への蓄積は継続されている。
【００８２】
また、上記ステップＳ１１及びＳ１２において、新しい記録信号Ｓrの記録位置としては、それまでの記録信号Ｓrが記録されている領域以外の光ディスク１上の領域に継続して記録するようにしてもよいし、再生が終了した記録信号Ｓrが記録されていた領域に上書きするようにして新しい記録信号Ｓrを記録するようにしてもよい。このとき、後者の場合には、未記録の新たな領域が使用されないので、光ディスク１における記録可能領域を有効に活用することができる。
【００８３】
次に、当初記録中であったときに同時再生が指定された場合の動作について説明する。
【００８４】
情報記録再生装置Ｓにおいて、光ディスク１への情報記録が指示されると、先ず、記録すべき情報信号ＳinのＡ／Ｄ変換及び圧縮処理を入力レートＭrに対応する速度で行って圧縮情報信号Ｓpdを記録バッファメモリ５に蓄積すると共に、それを記録レートＲrに対応する速度で読み出してエンコーダ６におけるエンコードを開始する（ステップＳ２５）。
【００８５】
次に、記録すべき記録信号Ｓrを記録する光ディスク１上の位置を検索し、当該検索した位置に光ビームＢの光スポットを移動して記録レートＲrで記録信号Ｓrの記録を行う（ステップＳ２６）。
【００８６】
次に、ＣＰＵ１４は、記録バッファメモリ５からのデータ量信号Ｓmrに基づいて、当該記録バッファメモリ５の蓄積データ量が予め設定された第４の所定量以上となったか否かを判定する（ステップＳ２７）。そして、記録バッファメモリ５の蓄積データ量が当該第４の所定量まで達していないときは（ステップＳ２７；ｎｏ）蓄積データ量が当該第４の所定量になるまで待機すべくピックアップ２による記録信号Ｓrの記録を一時中断し（ステップＳ２８）、ステップＳ３０に移行する。なお、この時でも、情報信号Ｓinの入力及びそれに伴う圧縮情報信号Ｓpdの記録バッファメモリ５への蓄積は継続されている。
【００８７】
一方、ステップＳ２７の判定において、記録バッファメモリ５の蓄積データ量が第４の所定量以上であるときは（ステップＳ２７；ｙｅｓ）、次に予め設定されている第５の所定量のエンコード信号Ｓed（記録信号Ｓr）をピックアップ２を介して記録レートＲrで光ディスク１に記録する（ステップＳ２９）。
【００８８】
このとき、当該第４の所定量は、上記第２の所定量以下のデータ量であればいずれのデータ量であってもよい。また、第５の所定量についても、上記第３の所定量以下のデータ量であればいずれのデータ量であってもよい。
【００８９】
次に、ＣＰＵ１４は、操作部１５を介して記録中における情報再生が指示されたか否かを判定する（ステップＳ３０）。
【００９０】
そして、記録中における情報再生が指示されていないときは（ステップＳ３０；ｎｏ）、次に全ての記録すべき情報を記録したか否かが判定され（ステップＳ３１）、全ての情報の記録が完了しているときは（ステップＳ３１；ｙｅｓ）、エンコーダ６におけるエンコードを停止して（ステップＳ３２）情報記録処理を終了する。
【００９１】
一方、ステップＳ３１の判定において、記録終了でないときは（ステップＳ３１；ｎｏ）ステップＳ２７に戻って上述した情報記録処理を繰り返す。
【００９２】
また、ステップＳ３０の判定において、記録中における情報再生が指示されたときは（ステップＳ３０；ｙｅｓ）、次に、それまでのピックアップ２による記録信号Ｓrの記録を一時中断し（この中段後でも、情報信号ＳinのＡ／Ｄ変換及び圧縮処理を継続するようにＣＰＵ１４がＡ／Ｄコンバータ３及び圧縮回路４を制御しており、生成された圧縮情報信号Ｓpdの記録バッファメモリ５への入力レートＭrでの蓄積は継続されている。）、次に再生すべき記録信号Ｓrが記録されている光ディスク１上の位置を検索し、当該検索した位置に光ビームＢの光スポットを移動して検出レートＲpでの検出信号Ｓpの生成を開始し（ステップＳ３３）、その後、生成された検出信号Ｓpに対するデコーダ９によるデコードを開始する（ステップＳ３４）。このデコードが開始されると、上記検出レートＳpに対応する速度で再生バッファメモリ１０にデコード信号Ｓddが蓄積されていく。
【００９３】
その後は、上記ステップＳ１０に移行し、記録バッファメモリ５及び再生バッファメモリ１０の蓄積データ量を夫々監視しつつ上記ステップＳ１０乃至Ｓ２２が実行され、情報記録中における情報再生が行われる。
【００９４】
次に、図２を用いて説明した情報再生及び情報記録を、記録バッファメモリ５及び再生バッファメモリ１０の蓄積データ量の変化を中心として図３を用いて説明する。なお、図３は、情報再生中に情報記録が指示された場合の各蓄積データ量の変化を示すものであり、更に、図３中のピックアップ２の状態を示す図のうち、白抜き領域で示されている時間帯は検出信号Ｓpの検出が実行されており、網掛け領域で示されている時間帯は記録信号Ｓrの記録が実行されている。
【００９５】
図３において、情報再生のみが実行されているときは、上記ステップＳ１乃至Ｓ８の処理により、再生バッファメモリ１０（容量はＢpである。）の蓄積データ量は、その空き容量が上記最小デコード単位以下のデータ量の範囲となるように変化する。すなわち、空き容量が上記第１の所定量以上となると、再生バッファメモリ１０の容量が
Ｒ＝（検出レートＲp）−（出力レートＭp）
で示されるレートＲで増加するように記録信号Ｓrの検出（検出レートＲp）を開始し、その後、空き容量が第１の所定量未満となると記録信号Ｓrの検出を停止し、出力レートＭpでの出力信号Ｓoutの出力（出力レートＭp）のみを行うことを繰り返している。
【００９６】
そして、時刻ｔ1で再生中の情報記録が指示されると（上記ステップＳ６参照）、記録バッファメモリ５への圧縮情報信号Ｓpdの蓄積を入力レートＭrで開始すると共に（上記ステップＳ９参照）、当該記録バッファメモリ５の蓄積データ量を監視し（上記ステップＳ１０参照）、その蓄積データ量が上記第２の所定量となった時刻ｔ2においてそれまでの検出信号Ｓpの検出動作を一時中断し、新たな記録信号Ｓrの記録位置をサーチして、時刻ｔ3から記録信号Ｓrの記録を開始する（上記ステップＳ１１及びＳ１２参照）。このときでも、再生バッファメモリ１０からのデコード信号Ｓddの出力は継続されている。
【００９７】
そして、時刻ｔ4で上記第３の所定量だけ記録信号Ｓrの記録が終了すると、次に、再び検出信号Ｓpの検出を行うべく次の検出位置にピックアップ２を移動し（上記ステップＳ１４参照）、時刻ｔ5から記録バッファメモリ５の蓄積データ量が第２の所定量以上となるまで（すなわち、時刻ｔ6まで）検出信号Ｓpの検出を行う。
【００９８】
そして、記録バッファメモリ５の蓄積データ量が第２の所定量以上となったとき以降、上記記録位置へのピックアップ２の移動及び記録信号Ｓrの記録を行う（上記ステップＳ１１及び１２参照）。
【００９９】
これ以後は、記録すべき情報信号Ｓinを全て記録し終わるまで上述した動作が繰り返されることとなる。
【０１００】
このとき、各バッファメモリの蓄積データ量については、再生バッファメモリ１０では、記録位置へのピックアップ２の移動及び実際の記録信号Ｓrの記録並びに検出位置へのピックアップ２の移動を実行している期間（すなわち、時刻ｔ2からｔ5までの期間）は、その蓄積データ量は出力レートＭpで減少し、再度検出信号Ｓpの検出が再開されたときは、その蓄積データ量は上記レートＲで増加することを繰り返す。
【０１０１】
一方、記録バッファメモリ５については、再生中の情報記録が指示されてから記録位置へのピックアップ２の移動が完了するまでの期間（すなわち、時刻ｔ1からｔ3までの期間）は、その蓄積データ量は入力レートＭrで増加し、次に実際に記録信号Ｓrが記録されているときは、その蓄積データ量は
Ｒ’＝（入力レートＭr）−（記録レートＲr）
で示されるレートＲ’で減少する。そして、再度検出信号Ｓpの検出処理が再開されたとき、情報信号Ｓinの入力は継続されているので、その蓄積データ量は再び入力レートＭrで増加し、以後、この変化を繰り返す。
【０１０２】
以上説明したように、実施形態の情報記録再生装置Ｓの動作によれば、外部からの情報の入力を継続しつつそれまでに光ディスク１に記録されていた記録信号Ｓrが再生されると共に、検出された記録信号Ｓrの外部への出力を継続しつつ未記録の記録信号Ｓrが記録されるので、情報記録再生装置Ｓ全体として見た場合、見かけ上、情報の記録とそれまで記録された情報の再生を同時に進行させることができる。
【０１０３】
また、記録バッファメモリ５への圧縮情報信号Ｓpdの記憶中にそれま記録されている記録信号Ｓrを検出すると共に、再生バッファメモリ１０からのデコード信号Ｓddの読み出し中に未記録の記録信号Ｓrを記録するので、簡易な構成で情報の記録と再生を同時進行させることができる。
【０１０４】
なお、上述した実施形態は、記録媒体として光ディスク１を用いた場合について説明したが、これ以外に、情報の読み書きが共に可能でありランダムアクセスが可能な記録媒体であれば、例えば、半導体メモリ等にも適用することができる。
【０１０５】
更に、上述した実施形態では、圧縮処理及び伸長処理を行う情報の記録再生に対して本発明を適用した場合について説明したが、これ以外に、外部からの情報の入力レートが当該情報の記録媒体への記録レートよりも低く、更に記録媒体からの情報の検出レートが外部への当該情報の出力レートよりも高い情報の記録再生を行う情報記録再生装置であれば、本発明を広く適用することができる。
【図面の簡単な説明】
【０１０６】
【図１】実施形態の情報記録再生装置の概要構成を示すブロック図である。
【図２】実施形態の情報記録再生の動作を示すフローチャートである。
【図３】各バッファメモリの蓄積データ量の変化を示す図である。
【符号の説明】
【０１０７】
１    光ディスク
２    ピックアップ
３    Ａ／Ｄコンバータ
４    圧縮回路
５    記録バッファメモリ
６    エンコーダ
７    記録回路
８    再生回路
９    デコーダ
１０    再生バッファメモリ
１１    伸長回路
１２    Ｄ／Ａコンバータ
１３    スピンドルモータ
１４    ＣＰＵ
１５    サーボ回路
１６    操作部
１７    表示部
Ｂ    光ビーム
Ｓ    情報記録再生装置
Ｐ    情報再生部
Ｒ    情報記録部
Ｓin    情報信号
Ｓd    ディジタル情報信号
Ｓpd    圧縮情報信号
Ｓed    エンコード信号
Ｓr    記録信号
Ｓp    検出信号
Ｓpp    再生信号
Ｓdd    デコード信号
Ｓo    伸長信号
Ｓout    出力信号
Ｓmr、Ｓmp    データ量信号
Ｓc    指示信号
Ｓs、Ｓ1、Ｓ2、Ｓ3、Ｓ4、Ｓ5、Ｓ6    制御信号
Ｓsp    ピックアップ制御信号
Ｓsm    スピンドル制御信号
Ｓdp    表示信号
【図１】
2005025933.tif 000003
【図２】
2005025933.tif 000004
【図３】
2005025933.tif 000005